【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
最大電圧レベルの異なる複数のインターフェイスでスレーブ装置と接続されうるホスト装置であって、
前記スレーブ装置に電源を供給する電源供給部と、
前記スレーブ装置に第１の信号線を介して信号を送信する送信部と、
前記スレーブ装置から第２の信号線を介して信号を受信する受信部と、を備え、
以下の順で事象を発生させる
１）前記電源供給部より、電源を供給し、
２）前記送信部より、前記第１の信号線を介して第１電圧レベルの信号、続いて第２電圧レベルの信号を非反復的に送信し、
３）前記受信部にて、前記第２の信号線を介して前記第１電圧レベルの信号を受信したとき、前記第１の信号線において前記第２電圧レベルの信号の送信を停止する、
ホスト装置。
【請求項２】
少なくとも前記第１の信号線を、前記第１電圧レベルを持つ信号線と抵抗を介して接続し、
前記第１の信号線において前記第２電圧レベルの信号の送信を停止したとき、前記第１の信号線が前記第１電圧レベルになる、請求項１に記載のホスト装置。
【請求項３】
少なくとも前記第２の信号線を、前記第２電圧レベルを持つ信号線と抵抗を介して接続し、
前記受信部にて、前記第２の信号線を介して前記第１電圧レベルの信号を受信したとき、前記第２の信号線を、前記第１電圧レベルを持つ信号線と抵抗を介して接続する、請求項１に記載のホスト装置。
【請求項４】
前記第１の信号線を介して前記第２電圧レベルの信号の送信を停止した後、
前記受信部にて、前記第２の信号線を介して前記第１電圧レベルの信号を受信したとき、前記スレーブ装置にコマンド信号を送信する、請求項１に記載のホスト装置。
【請求項５】
前記受信部にて、前記第２の信号線を介して前記第１電圧レベルの信号を受信しなかったとき、前記スレーブ装置にコマンド信号を送信しない、請求項１に記載のホスト装置。
【請求項６】
前記ホスト装置において、前記電源供給部より電源を供給する前もしくは直後より、前記第２の信号線以外の信号線に対して、前記第２電圧レベルの信号を送信する、請求項１に記載のホスト装置。
【請求項７】
前記インターフェイスの前記最大電圧レベルは、３．３Ｖ及び１．８Ｖであって、前記最大電圧レベルが１．８Ｖである前記インターフェイスのみで通信が可能な、請求項１に記載のホスト装置。
【請求項８】
前記第１電圧レベルは１．８Ｖであり、前記第２電圧レベルは０Ｖである、請求項１乃至７に記載のホスト装置。
【請求項９】
最大電圧レベルの異なる複数のインターフェイスでホスト装置と接続されうるスレーブ装置であって、
前記ホスト装置から電源を供給される電源被供給部と、
前記ホスト装置から第１の信号線を介して信号を受信する受信部と、
前記ホスト装置に第２の信号線を介して信号を送信する送信部と、を備え、
以下のステップが前記スレーブ装置によって実行される
１）前記電源被供給部にて、前記電源を供給され、
２）前記受信部にて、前記第１の信号線を介して前記第１電圧レベルの信号、続いて第２電圧レベルの信号を非反復的に受信したとき、
３）前記送信部より、前記第２の信号線を介して前記第１電圧レベルの信号を送信する、
スレーブ装置。
【請求項１０】
前記電源被供給部から供給される前記電源の電圧レベルを変化させるレギュレータをさらに備え、
前記レギュレータの起動の完了後に、前記第２の信号線を介して前記第１電圧レベルの信号を送信する、請求項９に記載のスレーブ装置。
【請求項１１】
前記第１の信号線を介して前記第１電圧レベルを検知したときと、その後前記第２電圧レベルを検知したときに、前記第１の信号線以外の信号線が前記第２電圧レベルであることを検知した場合に限り、前記第２の信号線を介して前記第１電圧レベルの信号を送信する、請求項９に記載のスレーブ装置。
【請求項１２】
前記第２の信号線を介して前記第１電圧レベルの信号を送信した後、前記受信部にて前記第１の信号線を介して前記第１電圧レベルの信号を受信したとき、前記第２の信号線において前記第１電圧レベルの信号の送信を停止する、請求項９に記載のスレーブ装置。
【請求項１３】
前記受信部にて、前記第１の信号線を介して前記第１電圧レベルの信号、続いて第２電圧レベルの信号を非反復的に受信しなかったとき、
前記第２の信号線を介して前記第１電圧レベルの信号を送信しない、請求項９に記載のスレーブ装置。
【請求項１４】
前記電源被供給部にて電源を供給される前は、少なくとも前記第１の信号線を解放状態にする、請求項９に記載のスレーブ装置。
【請求項１５】
前記第１電圧レベルは１．８Ｖであり、前記第２電圧レベルは０Ｖである、請求項９乃至１３に記載のスレーブ装置。
【請求項１６】
最大電圧レベルの異なる複数のインターフェイスにより接続される、ホスト装置及びスレーブ装置からなるリムーバブルシステムであって、
前記ホスト装置から前記スレーブ装置に対して、電源を供給し、第１の信号線を介して第１電圧レベルの信号、続いて第２電圧レベルの信号を非反復的に送信し、前記スレーブ装置は前記第１の信号線を介して前記第１電圧レベルの信号、続いて前記第２電圧レベルの信号を非反復的に受信したとき、前記ホスト装置に対して第２の信号線を介して前記第１電圧レベルの信号を送信し、
前記ホスト装置は、前記第２の信号線を介して前記第１電圧レベルの信号を受信したとき、前記第１の信号において前記第２電圧レベルの信号の送信を停止し、その後前記スレーブ装置に対してコマンド信号を送信し、
前記スレーブ装置は、前記第１の信号線が前記第２電圧レベルの信号でないことを検知したとき、前記第２の信号線を介して前記第１電圧レベルの信号の送信を停止する、リムーバブルシステム。
【請求項１７】
前記第１の信号線を介して前記第１電圧レベル、続いて前記第２電圧レベルを検知したときに、前記第１の信号線以外の信号線が前記第２電圧レベルであることを検知した場合に限り、前記第２の信号線を介して前記第１電圧レベルの信号を送信する、請求項１６に記載のリムーバブルシステム。
【請求項１８】
前記ホスト装置において、前記電源供給部より電源を供給する前は、前記第２の信号線以外の信号線は、前記第２電圧レベルの信号を送信する、請求項１６に記載のリムーバブルシステム。
【請求項１９】
前記第１電圧レベルは１．８Ｖであり、前記第２電圧レベルは０Ｖである、請求項１６に記載のリムーバブルシステム。
【請求項２０】
最大電圧レベルの異なる複数のインターフェイスにより接続される、ホスト装置及びレギュレータを有するスレーブ装置からなるリムーバブルシステムであって、
前記ホスト装置から前記スレーブ装置に対して、電源を供給し、第１の信号線を介して第１電圧レベルの信号、続いて第２電圧レベルの信号を非反復的に送信し、前記スレーブ装置は、前記第１の信号線を介して前記第１電圧レベルの信号、続いて前記第２電圧レベルの信号を非反復的に受信し、前記スレーブ装置は、前記レギュレータの起動が完了した後、第２の信号線を介して前記第１電圧レベルの信号を送信し、
前記ホスト装置は、前記第２の信号線を介して前記第１電圧レベルの信号を受信したとき、前記第１の信号において前記第２電圧レベルの信号の送信を停止し、その後前記スレーブ装置に対してコマンド信号を送信し、
前記スレーブ装置は、前記第１の信号線が前記第２電圧レベルの信号でないことを検知したとき、前記第２の信号線を介して前記第１電圧レベルの信号の送信を停止する、リムーバブルシステム。
【請求項２１】
最大電圧レベルの異なる複数のインターフェイスでスレーブ装置と接続されうるホスト装置であって、
前記スレーブ装置に電源を供給する電源供給部と、
前記スレーブ装置に第１の信号線を介して信号を送信する送信部と、
前記スレーブ装置から第２の信号線を介して信号を受信する受信部と、
前記スレーブ装置に第３の信号線を介して信号を送信する第２送信部と、
を備え、
以下の順で事象を発生させる
１）前記電源供給部より、電源を供給し、
２）前記送信部より、前記第１の信号線を介して第１電圧レベルの信号、続いて第２電圧レベルの信号を非反復的に送信し、
３）前記第２送信部より、前記第３の信号線を介して第２電圧レベルの信号を送信し、
４）前記受信部にて、前記第２の信号線を介して前記第１電圧レベルの信号を受信したとき、前記第３の信号線において前記第２電圧レベルの信号の送信を停止し、前記第１の信号線を介して前記第１電圧レベルの信号、前記第２電圧レベルの信号を反復的に送信する、
ホスト装置。
【請求項２２】
少なくとも前記第３の信号線を、前記第１電圧レベルを持つ信号線と抵抗を介して接続し、
前記第３の信号線において前記第２電圧レベルの信号の送信を停止したとき、前記第３の信号線が前記第１電圧レベルになる、請求項２１に記載のホスト装置。
【請求項２３】
少なくとも前記第２の信号線を、前記第２電圧レベルを持つ信号線と抵抗を介して接続し、
前記受信部にて、前記第２の信号線を介して前記第１電圧レベルの信号を受信したとき、前記第２の信号線を、前記第１電圧レベルを持つ信号線と抵抗を介して接続する、請求項２１に記載のホスト装置。
【請求項２４】
前記第３の信号線を介して前記第２電圧レベルの信号の送信を停止した後、
前記受信部にて、前記第２の信号線を介して前記第１電圧レベルの信号を受信したとき、前記スレーブ装置にコマンド信号を送信する、請求項２１に記載のホスト装置。
【請求項２５】
前記受信部にて、前記第２の信号線を介して前記第１電圧レベルの信号を受信しなかったとき、前記スレーブ装置にコマンド信号を送信しない、請求項２１に記載のホスト装置。
【請求項２６】
前記ホスト装置において、前記電源供給部より電源を供給する前もしくは直後より、前記第２の信号線以外の信号線に対して、前記第２電圧レベルの信号を送信する、請求項２１に記載のホスト装置。
【請求項２７】
前記インターフェイスの前記最大電圧レベルは、３．３Ｖ及び１．８Ｖであって、前記最大電圧レベルが１．８Ｖである前記インターフェイスのみで通信が可能な、請求項２１に記載のホスト装置。
【請求項２８】
前記第１電圧レベルは１．８Ｖであり、前記第２電圧レベルは０Ｖである、請求項２１に記載のホスト装置。
【請求項２９】
最大電圧レベルの異なる複数のインターフェイスでホスト装置と接続されうるスレーブ装置であって、
前記ホスト装置から電源を供給される電源被供給部と、
前記ホスト装置から第１の信号を介して信号を受信する受信部と、
前記ホスト装置に第２の信号を介して信号を送信する送信部と、
を備え、
以下の順で事象を発生させる
１）前記電源被供給部にて、前記電源を供給され、
２）前記受信部にて、前記第１の信号線を介して前記第１電圧レベルの信号、続いて第２電圧レベルの信号を非反復的に受信したとき、
３）前記送信部より、前記第２の信号線を介して前記第１電圧レベルの信号を送信する、
さらに、前記ホスト装置から第３の信号を介して信号を受信する第２受信部を備え、
前記第２の信号線を介して前記第１電圧レベルの信号を送信した後、前記第２受信部にて前記第３の信号線を介して前記第１電圧レベルの信号を受信したとき、前記第２の信号線において前記第１電圧レベルの信号の送信を停止する、
スレーブ装置。
【請求項３０】
前記電源被供給部から供給される前記電源の電圧レベルを変化させるレギュレータをさらに備え、
前記レギュレータの起動の完了後に、前記第２の信号線を介して前記第１電圧レベルの信号を送信する、請求項２９に記載のスレーブ装置。
【請求項３１】
前記第１の信号線を介して前記第１電圧レベルを検知したときと、その後前記第２電圧レベルを検知したときに、前記第１の信号線以外の信号線が前記第２電圧レベルであることを検知した場合に限り、前記第２の信号線を介して前記第１電圧レベルの信号を送信する、請求項２９に記載のスレーブ装置。
【請求項３２】
前記受信部にて、前記第１の信号線を介して前記第１電圧レベルの信号、続いて第２電圧レベルの信号を非反復的に受信しなかったとき、
前記第２の信号線を介して前記第１電圧レベルの信号を送信しない、請求項２９に記載のスレーブ装置。
【請求項３３】
前記電源被供給部にて電源を供給される前は、少なくとも前記第１の信号線を解放状態にする、請求項２９に記載のスレーブ装置。
【請求項３４】
前記第１電圧レベルは１．８Ｖであり、前記第２電圧レベルは０Ｖである、請求項２９に記載のスレーブ装置。
【請求項３５】
最大電圧レベルの異なる複数のインターフェイスにより接続される、ホスト装置及びスレーブ装置からなるリムーバブルシステムであって、
前記ホスト装置から前記スレーブ装置に対して、電源を供給し、第１の信号線を介して第１電圧レベルの信号、続いて第２電圧レベルの信号を非反復的に送信し、前記スレーブ装置は前記第１の信号線を介して前記第１電圧レベルの信号、続いて前記第２電圧レベルの信号を非反復的に受信したとき、前記ホスト装置に対して第２の信号線を介して前記第１電圧レベルの信号を送信し、
前記ホスト装置は、第３の信号線を介して前記第２電圧レベルの信号を送信し、
前記第２の信号線を介して前記第１電圧レベルの信号を受信したとき、前記第３の信号において前記第２電圧レベルの信号の送信を停止し、その後前記スレーブ装置に対してコマンド信号を送信し、
前記スレーブ装置は、前記第３の信号線が前記第２電圧レベルの信号でないことを検知したとき、前記第２の信号線を介して前記第１電圧レベルの信号の送信を停止する、リムーバブルシステム。
【請求項３６】
前記スレーブ装置が、前記第１の信号線を介して前記第１電圧レベル、続いて前記第２電圧レベルを非反復的に検知し、前記第１の信号線以外の信号線が前記第２電圧レベルであることを検知した場合に限り、前記第２の信号線を介して前記第１電圧レベルの信号を送信する、請求項３５に記載のリムーバブルシステム。
【請求項３７】
前記ホスト装置において、前記電源供給部より電源を供給する前は、前記第２の信号線以外の信号線は、前記第２電圧レベルの信号を送信する、請求項３５に記載のリムーバブルシステム。
【請求項３８】
前記第１電圧レベルは１．８Ｖであり、前記第２電圧レベルは０Ｖである、請求項３５に記載のリムーバブルシステム。
【請求項３９】
最大電圧レベルの異なる複数のインターフェイスにより接続される、ホスト装置及びレギュレータを有するスレーブ装置からなるリムーバブルシステムであって、
前記ホスト装置から前記スレーブ装置に対して、電源を供給し、第１の信号線を介して第１電圧レベルの信号、続いて第２電圧レベルの信号を非反復的に送信し、前記スレーブ装置は、前記第１の信号線を介して前記第１電圧レベルの信号、続いて前記第２電圧レベルの信号を非反復的に受信し、前記スレーブ装置は、前記レギュレータの起動が完了した後、前記第２の信号線を介して前記第１電圧レベルの信号を送信し、
前記ホスト装置は、第３の信号線を介して前記第２電圧レベルの信号を送信し、
前記第２の信号線を介して前記第１電圧レベルの信号を受信したとき、前記第３の信号において前記第２電圧レベルの信号の送信を停止し、その後前記スレーブ装置に対してコマンド信号を送信し、
前記スレーブ装置は、前記第３の信号線が前記第２電圧レベルの信号でないことを検知したとき、前記第２の信号線を介して前記第１電圧レベルの信号の送信を停止する、リムーバブルシステム。